(57)【特許請求の範囲】
【請求項１】
商用電源の交流を直流に変換する第１の直流電源回路と、
商用電源の交流を直流に変換する第２の直流電源回路と、
加熱コイルを有し、高周波でスイッチングして前記第１の直流電源回路の出力を高周波電力に変換し、前記加熱コイルに供給する複数の誘導加熱部と、
加熱コイルを有し、高周波でスイッチングして前記第２の直流電源回路の出力を高周波電力に変換し、前記加熱コイルに供給する単一の誘導加熱部と、
操作部により設定された電力が得られるように各誘導加熱部を制御する制御部とを備え、
前記制御部は、各誘導加熱部を制御する際、複数の誘導加熱部の合計電力と単一の誘導加熱部の電力との合計が第１の電力閾値以下になるように、かつ、複数の誘導加熱部の合計電力が第２の電力閾値以下になるようにすることを特徴とする誘導加熱調理器。
【請求項２】
前記制御部は、単一の誘導加熱部の電力増加により第１の電力閾値を超えたとき、その電力が得られるように単一の誘導加熱部を制御し、かつ、第１の電力閾値を超えた電力分、第２の電力閾値を下げて、複数の誘導加熱部の合計電力がその下げた第２の電力閾値以下になるようにすることを特徴とする請求項１記載の誘導加熱調理器。
【請求項３】
前記制御部は、複数の誘導加熱部及び単一の誘導加熱部のうち何れかの誘導加熱部の電力増加により第１及び第２の電力閾値或いは何れかの電力閾値を超えたとき、その該当する誘導加熱部の電力を増加させると共に、第１及び第２の電力閾値以下になるように他の誘導加熱部の電力を下げることを特徴とする請求項１記載の誘導加熱調理器。
【請求項４】
前記制御部は、複数の誘導加熱部及び単一の誘導加熱部のうち何れかの誘導加熱部の電力が下げられたとき、その該当する誘導加熱部の電力を下げ、その電力を下げた際に、他の誘導加熱部に操作部の設定電力より小さい電力で加熱しているものがあるときは、第１及び第２の電力閾値を超えない範囲でその電力を増加させることを特徴とする請求項１乃至３の何れかに記載の誘導加熱調理器。
【請求項５】
前記制御部により制御される複数の誘導加熱部及び単一の誘導加熱部の個々の電力をそれぞれ表示する電力表示部を備えたことを特徴とする請求項１乃至４の何れかに記載の誘導加熱調理器。
【発明の詳細な説明】
【技術分野】
【０００１】
本発明は、複数の加熱コイルを有する誘導加熱調理器、特に加熱コイルへの入力電力を制御する誘導加熱調理器に関するものである。
【背景技術】
【０００２】
従来の誘導加熱調理器は、単一の整流回路に複数のインバータを設け、この複数のインバータの位相をずらして個々の加熱コイルを駆動している（例えば、特許文献１参照）。
【特許文献１】特開昭５９−１９１２８８号公報（第３頁、第１図）
【発明の開示】
【発明が解決しようとする課題】
【０００３】
しかしながら、前述した従来の誘導加熱調理器では、複数のインバータの位相をずらすだけでは全電力を所定以内の電力で制御できないため、住宅内で使用した場合、過負荷によりブレーカが動作してしまうことがあった。また、単一の整流回路部は、複数のインバータを動作させた場合の最大電力に対応する必要が有るので、整流回路部の個々の部品の電流容量を大きくする必要があり、このため、サイズが大きく、コスト高となっていた。
【０００４】
本発明は、前記のような課題を解決するためになされたもので、ブレーカが動作しない電力の範囲内で加熱コイルを制御し、回路の共通部品の小型化と低コスト化を可能にする誘導加熱調理器を提供することを目的とする。
【課題を解決するための手段】
【０００５】
本発明に係る誘導加熱調理器は、商用電源の交流を直流に変換する第１の直流電源回路と、商用電源の交流を直流に変換する第２の直流電源回路と、加熱コイルを有し、高周波でスイッチングして第１の直流電源回路の出力を高周波電力に変換し、加熱コイルに供給する複数の誘導加熱部と、加熱コイルを有し、高周波でスイッチングして第２の直流電源回路の出力を高周波電力に変換し、加熱コイルに供給する単一の誘導加熱部と、操作部により設定された電力が得られるように各誘導加熱部を制御する制御部とを備え、制御部は、各誘導加熱部を制御する際、複数の誘導加熱部の合計電力と単一の誘導加熱部の電力との合計が第１の電力閾値以下になるように、かつ、複数の誘導加熱部の合計電力が第２の電力閾値以下になるようにする。
【発明の効果】
【０００６】
本発明においては、複数の誘導加熱部及び単一の誘導加熱部を制御する際、複数の誘導加熱部の合計電力と単一の誘導加熱部の電力との合計が第１の電力閾値以下になるようにしたので、ブレーカが過負荷により動作して商用電源を遮断するということがなくなり、また、第１の直流電源回路を共有する複数の誘導加熱部の合計電力が第２の電力閾値以下になるようにしたので、共有している第１の直流電源回路に容量の小さい部品を使用することが可能になり、このため、低コストで小型の誘導加熱調理器を提供できる。
【発明を実施するための最良の形態】
【０００７】
実施の形態１．
図１は本発明の実施の形態１を示す誘導加熱調理器の回路図である。
図１に示す実施の形態１の誘導加熱調理器１３は、ノイズフィルタ２と、第１の直流電源回路を構成する整流回路３及びコンデンサ４を共有する複数の誘導加熱部５，１０と、ノイズフィルタ６と、第２の直流電源回路を構成する整流回路７及びコンデンサ８を単独で用いる単一の誘導加熱部９と、制御部の制御回路１１と、電源スイッチ１２ａ、誘導加熱部５の電力（火力）を調節するための電力調節ダイヤル１２ｂ、誘導加熱部１０の電力を調節するための電力調節ダイヤル１２ｃ及び誘導加熱部９の電力を調節するための電力調節ダイヤル１２ｄを有する操作部１２とを備えている。
【０００８】
誘導加熱部５は、加熱コイル５ｄと、加熱コイル５ｄに直列に接続された共振コンデンサ５ｅ、コンデンサ４に充電された充電エネルギー（入力電力）を高周波電力に変換するためのスイッチング素子５ｂ，５ｃと、入力電流を検出するための検出抵抗５ａと、入力電圧検出回路５ｆとで構成されている。誘導加熱部１０は、誘導加熱部５と同様に、加熱コイル１０ｄと、加熱コイル１０ｄに直列に接続された共振コンデンサ１０ｅと、コンデンサ４に充電された充電エネルギーを高周波電力に変換するためのスイッチング素子１０ｂ，１０ｃと、入力電流を検出するための検出抵抗１０ａと、入力電圧検出回路１０ｆとで構成されている。
【０００９】
誘導加熱部９は、加熱コイル９ｄと、加熱コイル９ｄに直列に接続された共振コンデンサ９ｅ、コンデンサ８に充電された充電エネルギー（入力電力）を高周波電力に変換するためのスイッチング素子９ｂ，９ｃと、入力電流を検出するための検出抵抗９ａと、入力電圧検出回路９ｆとで構成されている。前述した誘導加熱部５と誘導加熱部９の最大入力電力は３ｋＷに設定され、誘導加熱部１０の最大入力電力は２ｋＷに設定されている。
【００１０】
制御回路１１は、例えば、６ｋＷの第１の電力閾値と４ｋＷの第２の電力閾値とが設定されており、３台の誘導加熱部５，９，１０の入力電力の合計が第１の電力閾値（６ｋＷ）を超えるとき、その合計が第１の電力閾値の６ｋＷ以下になるように、かつ、第１の直流電源回路側を共有する誘導加熱部５，１０の入力電力の合計が第２の電力閾値（４ｋＷ）以下になるように、３台の誘導加熱部５，９，１０の各スイッチング素子５ｂ，５ｃ・９ｂ，９ｃ・１０ｂ，１０ｃをそれぞれ制御する。
【００１１】
前記のよう構成された実施の形態１の誘導加熱調理器の動作について説明する。まず最初に基本的な動作を説明するために、誘導加熱部５に通電したときの動作を説明する。
操作部１２の電源スイッチ１２ａがオンされた後に、電力調整ダイヤル１２ｂが「大」の方向に回されて電力が設定されると、制御回路１１は、誘導加熱部５のスイッチング素子５ｂ，５ｃを高周波で交互にスイッチングして、コンデンサ４の充電エネルギーを高周波電力に変換し、加熱コイル５ｄに供給する。この加熱コイル５ｄと共振コンデンサ５ｅは直列回路を構成しており、加熱コイル５ｄのインダクタンス値をＬ、抵抗値をＲ、共振コンデンサ５ｅの容量をＣとすると、直列回路のインピーダンスＺは以下の式で表すことができる。
Ｚ＝（（２πｆＬ−１／２πｆＣ）2＋Ｒ2）1/2
ここで、ｆはスイッチング素子５ｂ，５ｃのスイッチング周波数を表している。
【００１２】
このインピーダンスＺは、（２πｆＬ−１／２πｆＣ）＝０となる周波数ｆで最小となり、加熱コイル５ｄに流れる電流が最も大きく入力電力が最大となる。周波数を高くすると、インピーダンスＺは増加し、加熱コイル５ｄに流れる電流は減少し、入力電力も減少する。つまり、電力調整ダイヤル１２ｂを「大」の方向に回した場合、スイッチング素子５ｄ，５ｃのスイッチング周波数を下げて、加熱コイル５ｄの入力電力を大きくし、電力調整ダイヤル１２ｂを「小」の方向に回した場合、スイッチング素子５ｄ，５ｃのスイッチング周波数を上げて、加熱コイル５ｄの入力電力を小さくする。
【００１３】
制御回路１１は、誘導加熱部５のスイッチング素子５ｂ，５ｃの制御に入ったときに、入力電流検出回路５ａにより検出された入力電流と入力電圧検出回路５ｆによって検出された入力電圧とから誘導加熱部５の入力電力を算出し、この入力電力が電力調整ダイヤル１２ｂの設定電力になるようにスイッチング素子５ｂ，５ｃの周波数を制御する。
【００１４】
次に、誘導加熱部５により調理が行われているときに、操作部１２の電力調整ダイヤル１２ｃ，１２ｄによって電力が設定されたときの動作を説明する。その電力調整ダイヤル１２ｃ，１２ｄが「大」の方向に回されてそれぞれ電力が設定されると、制御回路１１は、それぞれの設定電力を読み取り、先に設定された電力調整ダイヤル１２ｂの設定による入力電力との合計を算出して、その合計が第１の電力閾値（６ｋＷ）を超えているかどうか、また、先に設定された電力調整ダイヤル１２ｂの設定による入力電力と電力調整ダイヤル１２ｃの設定電力の合計が第２の電力閾値（４ｋＷ）を超えているかどうかを判定する。３台の誘導加熱部５，９，１０の合計電力が第１の電力閾値以下で、かつ、第１の直流電源回路側の誘導加熱部５，１０の合計電力が第２の電力閾値以下のときは、誘導加熱部１０の入力電力が電力調整ダイヤル１２ｃの設定電力になるようにスイッチング素子１０ｂ，１０ｃを制御すると共に、誘導加熱部９の入力電力が電力調整ダイヤル１２ｄの設定電力になるようにスイッチング素子９ｂ，９ｃを制御する。
【００１５】
また、電力調整ダイヤル１２ｂ，１２ｃの設定電力の合計、つまり、誘導加熱部５，１０の合計電力が第２の電力閾値と同一で、３台の誘導加熱部５，９，１０の合計電力が第１の電力閾値を超えているときは、第１の電力閾値以下になるように誘導加熱部５の設定電力を下げる制御に入り、また、３台の誘導加熱部５，９，１０の合計電力が第１の電力閾値以下で、誘導加熱部５，１０の合計電力が第２の電力閾値を超えているときは、第２の電力閾値以下になるように誘導加熱部５の入力電力及び誘導加熱部１０の設定電力を下げる制御に入る。
【００１６】
以上のように実施の形態１によれば、電力調整ダイヤル１２ｂ，１２ｃ，１２ｄの入力電力の合計が第１の電力閾値（６ｋＷ）を超えたとき、誘導加熱部５，９，１０の入力電力の合計がその６ｋＷ以下になるように制御するので、ブレーカが過負荷で動作して商用電源が遮断されるということがなくなり、また、第１の直流電源回路側を共用する誘導加熱部５、１０の入力電力の合計が第２の電力閾値以下になるように制御するので、第１の直流電源回路を構成する整流回路３のダイオードとコンデンサ４を４ｋＷの電力容量で設計すればよく、このため、前述した従来の誘導加熱調理器と比べ、低コストで小型化が可能な誘導加熱調理器１３を提供できる。
【００１７】
実施の形態２．
実施の形態２における誘導加熱調理器の構成は、図１で説明した実施の形態１とほぼ同様であるため、図１を用いて説明する。
実施の形態２の誘導加熱調理器１３は、誘導加熱部５，１０の入力電力の合計が第２の電力閾値で、その２つの入力電力の合計と誘導加熱部９の入力電力との合計が第１の電力閾値であるときに、単一の誘導加熱部９の入力電力が電力調整ダイヤル１２ｄにて電力アップされた場合、その設定電力が誘導加熱部９の入力電力となるように増加させると共に、第２の電力閾値を（第１の電力閾値−誘導加熱部９の設定電力）の値に変更し、誘導加熱部５，１０の入力電力の合計が、変更した第２の電力閾値以下になるようにしたものである。
【００１８】
例えば、第１の電力閾値及び第２の電力閾値の制限により誘導加熱部５，１０の入力電力をそれぞれ２ｋＷに、誘導加熱部９の入力電力を２ｋＷに設定しているときに、操作部１２の電力調節ダイヤル１２ｄがさらに「大」の方向に回されて誘導加熱部９の入力電力が２ｋＷから最大の３ｋＷに変更されると、制御回路１１は、その設定電力（３ｋＷ）と他の誘導加熱部５，１０の入力電力との合計が第１の電力閾値（６ｋＷ）を超えたかどうかを判定する。この場合、誘導加熱部９の設定電力が３ｋＷで、他の誘導加熱部５，１０の合計が４ｋＷで、その合計（７ｋＷ）が第１の電力閾値（６ｋＷ）を超えるので、第１の電力閾値（６ｋＷ）から設定電力の３ｋＷを減算した値（３ｋＷ）を新たな第２の電力閾値として変更する。つまり、第１の電力閾値を超えた電力分を第２の電力閾値から差し引いて、その残りの電力を新たな第２の電力閾値として変更する。そして、誘導加熱部５，１０の入力電力の合計が、変更した第２の電力閾値（３ｋＷ）以下になるように誘導加熱部５のスイッチング素子５ｂ，５ｃと誘導加熱部１０のスイッチング素子１０ｂ，１０ｃとをそれぞれ制御すると共に、誘導加熱部９の入力電力が３ｋＷになるようにそのスイッチング素子９ｂ，９ｃを制御する。
【００１９】
以上のように実施の形態２によれば、誘導加熱部５，１０の入力電力の合計が第２の電力閾値で、その２つの入力電力の合計と誘導加熱部９の入力電力との合計が第１の電力閾値であるときに、誘導加熱部９の入力電力が最大の３ｋＷまでアップされたとき、その設定電力が誘導加熱部９の入力電力となるように増加させると共に、誘導加熱部５，１０の入力電力の合計の上限値となる第２の電力閾値を下げるようにしたので、誘導加熱部５，１０による加熱調理を中断することなく、強い火力を要する調理を誘導加熱部９によって行うことができ、使用者にとって使い勝手の良い誘導加熱調理器１３を提供できる。
【００２０】
実施の形態３．
実施の形態３における誘導加熱調理器の構成は、前記と同様に図１で説明した実施の形態１とほぼ同じであるため、図１を用いて説明する。
実施の形態３の誘導加熱調理器１３は、誘導加熱部５，１０のうち一方の入力電力がアップされて第２の電力閾値を超えたとき、その超えた電力分、他方の入力電力を下げて誘導加熱部５，１０の入力電力の合計が第２の電力閾値以下になるようにし、また、誘導加熱部９の入力電力がアップされて誘導加熱部５，１０との合計が第１の電力閾値を超えたときは、その超えた電力分、誘導加熱部５，１０の入力電力の合計を下げて第１の電力閾値以下となるようにしたものである。
【００２１】
例えば、第１の電力閾値及び第２の電力閾値の制限により誘導加熱部５，１０の入力電力をそれぞれ２ｋＷに、誘導加熱部９の入力電力を２ｋＷに設定しているときに、操作部１２の電力調節ダイヤル１２ｂがさらに「大」の方向に回されて誘導加熱部５の入力電力が２ｋＷから最大の３ｋＷに変更されると、制御回路１１は、その設定電力（３ｋＷ）と誘導加熱部１０の入力電力との合計が第２の電力閾値（４ｋＷ）を超えたかどうかを判定する。この場合は、誘導加熱部５の設定電力が３ｋＷで、誘導加熱部１０の入力電力が２ｋＷで、その合計（５ｋＷ）が第２の電力閾値（４ｋＷ）を超え、その合計（５ｋＷ）と誘導加熱部９の入力電力（２ｋＷ）との合計（７ｋＷ）が第１の電力閾値（６ｋＷ）を超えるので、誘導加熱部１０の入力電力を２ｋＷから１ｋＷまで下げるようにそのスイッチング素子１０ｂ，１０ｃを制御すると共に、誘導加熱部５の入力電力が３ｋＷになるようにそのスイッチング素子５ｂ，５ｃを制御する。この制御により、誘導加熱部５，１０の入力電力の合計（３ｋＷ＋１ｋＷ）が第２の電力閾値（４ｋＷ）以下となり、その合計（４ｋＷ）と誘導加熱部９の入力電力（２ｋＷ）との合計が第１の電力閾値（６ｋＷ）以下となる。
【００２２】
また例えば、前記と同様に誘導加熱部５，１０の入力電力をそれぞれ２ｋＷに、誘導加熱部９の入力電力を２ｋＷに設定しているときに、操作部１２の電力調節ダイヤル１２ｄによって誘導加熱部９の入力電力が２ｋＷから最大の３ｋＷに変更されると、制御回路１１は、その設定電力（３ｋＷ）と誘導加熱部５，１０の入力電力の合計とが第１の電力閾値（６ｋＷ）を超えたかどうかを判定する。この場合は、誘導加熱部５，１０の入力電力の合計が第２の電力閾値と同じ４ｋＷで、誘導加熱部９の設定電力が３ｋＷで、その合計（７ｋＷ）が第１の電力閾値（６ｋＷ）を超えるので、その超えた電力分、誘導加熱部５，１０の入力電力を下げる。そして、その下げた入力電力が得られるように誘導加熱部５，１０のスイッチング素子５ｂ，５ｃ・１０ｂ，１０ｃをそれぞれ制御し、誘導加熱部９の入力電力が３ｋＷになるようにそのスイッチング素子９ｂ，９ｃを制御する。
【００２３】
以上のように実施の形態３によれば、誘導加熱部５，１０の入力電力の合計が第２の電力閾値で、その２つの入力電力の合計と誘導加熱部９の入力電力との合計が第１の電力閾値であるときに、誘導加熱部５，１０のうち一方の入力電力がアップされて第２の電力閾値を超えたとき、その超えた電力分、他方の入力電力を下げて誘導加熱部５，１０の入力電力の合計が第２の電力閾値以下となるようにし、また、誘導加熱部９の入力電力がアップされて誘導加熱部５，１０との合計が第１の電力閾値を超えたとき、その超えた電力分、誘導加熱部５，１０の入力電力の合計を下げて第１の電力閾値以下となるようにしたので、誘導加熱部５，１０による加熱調理を中断することなく、強い火力を要する調理を誘導加熱部９によって行うことができ、使用者にとって使い勝手の良い誘導加熱調理器１３を提供できる。
【００２４】
なお、実施の形態３では、誘導加熱部５，１０の入力電力の合計が第２の電力閾値で、その２つの入力電力の合計と誘導加熱部９の入力電力との合計が第１の電力閾値であるときを条件として動作を説明したが、誘導加熱部５，１０の入力電力の合計が第２の電力閾値未満で、その２つの入力電力の合計と誘導加熱部９の入力電力との合計が第１の電力閾値未満であることを条件とした場合でも前記と同様の動作を行い、同じ効果を奏する。
【００２５】
実施の形態４．
実施の形態４における誘導加熱調理器の構成は、前記と同様に図１で説明した実施の形態１とほぼ同じであるため、図１を用いて説明する。
実施の形態４の誘導加熱調理器１３は、誘導加熱部５，９，１０のうち何れかの入力電力が電力調節ダイヤルにより下げられた場合、該当する誘導加熱部の入力電力を下げ、この時、第１及び第２の電力閾値の制限により他の誘導加熱部の入力電力が電力調節ダイヤルの設定電力よりも小さく抑えられていた場合は、他の誘導加熱部の入力電力を第１の電力閾値及び第２の電力閾値の範囲で増やすようにしたものである。
【００２６】
例えば、誘導加熱部５，１０の入力電力の合計が第２の電力閾値で、その２つの入力電力の合計と誘導加熱部９の入力電力との合計が第１の電力閾値であるときに、操作部１２の電力調節ダイヤル１２ｃが「小」の方向に回されて誘導加熱部１０の入力電力が設定電力まで下げられると、制御回路１１は、誘導加熱部１０の入力電力が設定電力まで下がるように制御し、かつ、他の誘導加熱部５，９の入力電力がそれぞれ電力調節ダイヤル１２ｂ，１２ｄによって設定された電力よりも小さいかどうかを判定する。
【００２７】
例えば、電力調節ダイヤル１２ｂによって設定されている誘導加熱部５の設定電力が現在の入力電力よりも小さいときは、誘導加熱部１０の下げた入力電力と電力調節ダイヤル１２ｂによって設定されている誘導加熱部５の設定電力の合計が第２の電力閾値（４ｋＷ）以下かどうかを判定する。その合計が第２の電力閾値以下のときは、誘導加熱部５の設定電力が入力電力となるように制御し、また、その合計が第２の電力閾値を超えるときは、第２の電力閾値を超えない範囲内で誘導加熱部５の入力電力を増やすように制御する。さらに、電力調節ダイヤル１２ｄによって設定されている誘導加熱部９の設定電力が現在の入力電力よりも小さいときは、誘導加熱部１０の下げた入力電力、誘導加熱部５の設定電力及び電力調節ダイヤル１２ｄによって設定されている誘導加熱部９の設定電力の合計が第１の電力閾値（６ｋＷ）以下かどうかを判定する。その合計が第１の電力閾値以下のときは、誘導加熱部９の設定電力が入力電力となるように制御し、また、その合計が第１の電力閾値を超えるときは、第１の電力閾値を超えない範囲内で誘導加熱部９の入力電力を増やすように制御する。
【００２８】
以上のように実施の形態４によれば、誘導加熱部５，１０の入力電力の合計が第２の電力閾値で、その２つの入力電力の合計と誘導加熱部９の入力電力との合計が第１の電力閾値であるときに、何れかの入力電力が電力調節ダイヤルにより下げられた場合、該当する誘導加熱部の入力電力を下げ、この時、他の誘導加熱部の入力電力が電力調節ダイヤルの設定電力よりも小さく抑えられていた場合は、他の誘導加熱部の入力電力を第１の電力閾値及び第２の電力閾値以下になる範囲で増やすようにしたので、第１の電力閾値及び第２の電力閾値の制限により設定電力よりも小さい入力電力を火力としている誘導加熱部に対する電力設定の再操作が不要になり、使用者にとって使い勝手の良い誘導加熱調理器１３を提供できる。
【００２９】
なお、実施の形態４では、誘導加熱部５，１０の入力電力の合計が第２の電力閾値で、２つの入力電力の合計と誘導加熱部９の入力電力との合計が第１の電力閾値であるときに、何れかの入力電力が下げられた場合の動作を説明したが、誘導加熱部５，１０の入力電力の合計が第２の電力閾値未満で、その２つの入力電力の合計と誘導加熱部９の入力電力との合計が第１の電力閾値未満である場合においても前記と同様の動作を行い、同じ効果を奏する。
【００３０】
実施の形態５．
実施の形態５における誘導加熱調理器の構成は、前記と同様に図１で説明した実施の形態１とほぼ同じであるため、図１を用いて説明する。
実施の形態５の誘導加熱調理器１３は、誘導加熱部５，９，１０のうち何れかの入力電力が電力調節ダイヤルにより下げられた場合、該当する誘導加熱部の入力電力を下げ、他の誘導加熱部の入力電力を上げることなく現状を維持するようにしたものである。
【００３１】
例えば、誘導加熱部５，１０の入力電力の合計が第２の電力閾値で、その２つの入力電力の合計と誘導加熱部９の入力電力との合計が第１の電力閾値であるときに、電力調節ダイヤル１２ｃにより誘導加熱部１０の入力電力が下げられると、制御回路１１は、誘導加熱部５，９の入力電力を変えることなく、誘導加熱部１０の入力電力が電力調節ダイヤル１２ｃによって設定された電力まで下がるように誘導加熱部１０のスイッチング素子１０ｂ，１０ｃを制御する。また、誘導加熱部９の入力電力が電力調節ダイヤル１２ｄにより下げられた場合は、誘導加熱部５，１０の入力電力を変えることなく、その入力電力が電力調節ダイヤル１２ｃの設定電力まで下がるように誘導加熱部９のスイッチング素子９ｂ，９ｃを制御する。
【００３２】
以上のように実施の形態５によれば、誘導加熱部５，１０の入力電力の合計が第２の電力閾値で、その２つの入力電力の合計と誘導加熱部９の入力電力との合計が第１の電力閾値であるときに、何れかの入力電力が電力調節ダイヤルにより下げられた場合、該当する誘導加熱部のみの入力電力を下げるようにしたので、使用者にとって、加熱調理中の誘導加熱部５，９，１０の火力の状態がわかりやすくなり、使用者にとって使い勝手の良い誘導加熱調理器１３を提供できる。
【００３３】
なお、実施の形態５では、誘導加熱部５，１０の入力電力の合計が第２の電力閾値で、その２つの入力電力の合計と誘導加熱部９の入力電力との合計が第１の電力閾値であるときを条件として動作を説明したが、誘導加熱部５，１０の入力電力の合計が第２の電力閾値未満で、その２つの入力電力の合計と誘導加熱部９の入力電力との合計が第１の電力閾値未満であることを条件とした場合でも前記と同様の動作を行い、同じ効果を奏する。
【００３４】
実施の形態６．
図２は本発明の実施の形態６を示す誘導加熱調理器の回路図である。なお、図１で説明した実施の形態１と同一又は相当部分には同じ符号を付し説明を省略する。
図２に示す実施の形態６は、誘導加熱調理器１３に電力表示部１４を備えたものである。この電力表示部１４は、誘導加熱部５に対応して設けられたＬＥＤ表示部１４ａと、誘導加熱部５に対応して設けられたＬＥＤ表示部１４ｂと、誘導加熱部１０に対応して設けられたＬＥＤ表示部１４ｃとからなり、制御回路１１によって算出された入力電力に基づいてＬＥＤを点灯させる。例えば、誘導加熱部５に最大の３ｋＷの入力電力が供給されているとき、ＬＥＤ表示部１４ａの全てのＬＥＤ１〜６を点灯させ、入力電力が５００Ｗ以下の場合は、ＬＥＤ１のみを点灯させる。
【００３５】
このように、各誘導加熱部５，９，１０にそれぞれ供給されている入力電力に応じて、ＬＥＤ表示部１４ａ，１４ｂ，１４ｃのＬＥＤを点灯させるようにしたので、各誘導加熱部５，９，１０の使用状況が容易にわかり、使用者にとって使い勝手の良い誘導加熱調理器１３を提供できる。
【図面の簡単な説明】
【００３６】
【図１】本発明の実施の形態１〜５を示す誘導加熱調理器の回路図である。
【図２】本発明の実施の形態６を示す誘導加熱調理器の回路図である。
【符号の説明】
【００３７】
１  商用電源、２  ノイズフィルタ、３  整流回路、４  コンデンサ、５  誘導加熱部、６  ノイズフィルタ、７  整流回路、８  コンデンサ、９  誘導加熱部、１０  誘導加熱部、１１  制御回路、１２  操作部、１３  誘導加熱調理器、１４  電力表示部。
【図１】
0004494316.tif 000002
【図２】
0004494316.tif 000003